(57)【特許請求の範囲】
【請求項１】
運搬用の取手部（６）を有する可搬式バケツ（２）であって、前記バケツ（２）は三角形の断面形状を有し、前記バケツ（２）の全ての側面（７，８，１１）は平坦であり、２つの最短の側面（７，８）の間の角度（Ｘ）は概ね直角をなし、前記バケツの前記２つの短い側面（７，８）は、前記バケツ（２）周囲の周りから見て同一の長さであり、前記取手部（６）は、前記バケツ（２）の前記最短の側面（７，８）に設置されたピボット軸受（１２）であって前記バケツ（２）の上部の縁部（１３）下方の前記バケツ（２）側面に設置された該ピボット軸受（１２）に枢動可能に設置されて構成された該可搬式バケツ（２）において、
前記取手部（６）は、前記バケツ（２）の上部の前記縁部（１３）上を超えて前記バケツ（２）の最長側面（１１）の外面（２Ａ）まで下方に回動可能なように支持されており、前記取手部（６）の形状は、前記ピボット軸受（１２）の間の前記バケツ（２）の周辺形状に適合しており、前記バケツ（２）の効果的な支持位置（９）が、前記バケツ（２）の前記最長側面（１１）と前記バケツ（２）の前記最長側面（１１）に近い前記直角の角度（Ｘ）の間の前記バケツの幅（Ｂ）の約３分の１の位置にある鉛直面（１０）上に配置されるように、前記取手部（６）が構成されることを特徴とする可搬式バケツ。
【請求項２】
前記取手部（６）は、前記バケツ（２）に取外し可能に設置されていることを特徴とする請求項１に記載のバケツ。
【請求項３】
前記バケツ（２）の前記縁部（１３）には注ぎ口があり、前記取手部（６）は、前記バケツ（２）の前記注ぎ口のある縁部（１３）に係合するように構成された取付器具（２２）を有することを特徴とする請求項２に記載のバケツ。
【請求項４】
前記取手部（６）は、前記バケツ（２）の概ね垂直な側面に沿って下降することが可能なように配置された垂直方向の支柱部材（２３）を含むことを特徴とする請求項１に記載のバケツ。
【発明の詳細な説明】
【０００１】
技術分野
本発明は、運搬用の取手部（６）を備えた可搬式バケツ（２）若しくは同様のコンテナの構成に関する。
【０００２】
発明の背景
三角形の周辺形状を有する様々な用途向けのコンテナの設計方法が既に開示されている。それは、例えば飲料を供するためにキッチンで用いられるコンテナであり、コンテナの一方の側面に沿って高さ全体に延在する取手部を有する。このコンテナの利点は、長い注ぎ口パイプと、所望により2本の手で握ることのできる長い取手部を有することである。
【０００３】
US, A, 5,062,542号には、限られた領域に互いに積重ね可能であることを特徴とする密閉可能なコンテナのための三角形の周辺形状が開示されている。この場合の周辺形状は、関連する角度を60℃として3辺が配置された正三角形である。例えば、それらが積載パレット上に置かれた場合、積載パレットの少なくともコーナー部への搭載ができないために、パレットの表面全体は覆われない。また、この先行技術のコンテナは運搬用の取手部が欠如している。
【０００４】
また、先行技術には、互いに最も離隔されたバケツの2つのコーナー部若しくは側面に位置する運搬用の取手部を有する、楕円形若しくはひし形の何れかの形状のバケツの設計が存在する。この場合の取手部は、バケツの各側面までの距離が等しいバケツ中央に延在するように配置されている。バケツの幅は縮小されてはいるが、それは依然としてかなり幅広く、特に背の高くない人やサルのような長い腕を持たない人にとっては持ち運びが困難である。
【０００５】
発明の概要
従って、本発明の主要な目的は、まず始めに前述のコンテナの運搬及び積重ねに関する問題を簡単且つ効果的に解決する構成を提供することである。
【０００６】
その目的は、本発明による構成によって達成される。その構成は、三角形の断面形状を有するバケツにおいて、バケツのより短い2つの側面の間の角度を概ね直角とし、バケツの効果的な支持位置がバケツのより長い側面から直角までの最短の幅の約３分の１の位置の鉛直面上に位置するように取手部を配置することで概ね特徴付けられる。
【０００７】
発明を実施するための形態
例えば図５乃至図５Ｃには、開放型であるが従来型の着脱可能な蓋を取付け可能な、運搬用の取手部６を有する可搬式バケツ２の構成１が示されており、また、例えば図１４乃至図１４Ａには、不変の固定された上側部分３で覆われた、ねじ止め栓５で閉止可能な開口部４及び運搬用の取手部６１を有する同様のコンテナ２１の構成が示されている。以下に補足的説明を加える。
【０００８】
バケツ２又はコンテナ２１は、三角形の断面形状を有する。バケツのより短い側面７及び８並びに７１及び８１の間の角度Ｘは概ね直角である。取手部６、６1は、バケツ２若しくはコンテナ２１の支持位置９が前述のより長い側面１１若しくは１１１から直角Ｘまでの最短の幅Ｂの約３分の１に位置する鉛直面１０上に配置されるように構成される。
【０００９】
従来型の運搬用の取手部を有する先行技術のバケツとは異なり、前述の運搬用の取手部６の位置によって、運搬する人間１６のバケツ２に最も接近する脚部１５とバケツ２との間に間隙１４が生じるので、バケツ２をより容易に運搬するとができる。
【００１０】
図１の破線は、先行技術のバケツの支持位置を示しており、それはより低い位置にあるが、歩を進める場合に脚部１５がバケツ１０２とどのように衝突する危険性があるかを理解することができる。本発明によるバケツ２の場合においては、支持する腕１７が肩１８から垂直に運搬用の取手部６まで下方に伸びており、これは取手部１０６が身体からより離れて位置する従来技術のバケツ１０２の場合とは異なる。
【００１１】
図２、図５、図６、図９及び図１１に示すように、この場合の取手部６は、上部の周縁部１３の上下に枢動可能なように、前述の鉛直面１０においてバケツ２のより短い両方の側面７、８に配置されたピボット軸受１２に設置されている。
【００１２】
この場合の取手部６は、バケツ上部の周縁部１３上を超えてバケツ外面２Ａまで下方に回動可能なように支持され得る。
【００１３】
例えば、図６及び図１１Ａに示すように、取手部６はバケツ２の外側に回動するか、或いはピボット軸受１２の間の蓋部１９上で静止するようにし、その形状はバケツの一部に沿って周囲形状に適合させる。
【００１４】
図９は取手部６の例であり、2つの関節１２、２０をなす直線的な支柱部材２１を示す。
【００１５】
図７及び図８に示す取手部６２、６３の例では、取手部はバケツ２から取外し可能なように設置されており、その支柱部材２３を、バケツの概ね垂直な側面７、８の内側若しくは外側に下げることが可能なように構成し、周縁部１３と係合する取付器具２２を用いてバケツの注ぎ口のある周縁部１３に取付ける。
【００１６】
図１０及び図１０Ａは取手部６４の例を示しており、その取手部は、バケツの周辺を考慮した場合にバケツ２の支持位置９がバケツのより長い側面１１から図示した距離Ｂ×１／３における前述の鉛直面１０上に配置されるように、バケツのより長い側面における少なくとも1つの取付け位置２４において支持される。
【００１７】
更に、図中には偏り取手６４の２つの例が示されている。
【００１８】
図１３及び図１３Ａは取手部６５の例を示しており、その取手部は、角度をつけた支柱部材の形状を有し、取手部が内側に回転した位置Ｉにある場合には、バケツの支持位置９に位置する取手部６５の上部の握り部２５によってバケツ２を運搬可能である。取手部６５は拡張位置ＩＩまで外側に回動可能であり、それは邪魔にならない位置にあって、バケツから内容物を注ぐときに役立つ。
【００１９】
ここに示すバケツ２は、バケツの周辺を考慮した場合に同一の長さＬを有するように構成された2つのより短い側面７、８を有する（即ち、それらの側面の間の角度Ｃ、Ｄの各々は約45°である）。しかしながら、2つの短い側面の相対的な長さは変更することができる。
【００２０】
バケツ２の側面７、８、１１は、概ね平坦であり、好ましくはバケツの底部２６から外側に若干傾斜している。前述のバケツ（容器の一般的な呼称として用いられる）２は、空の場合には蓋部と共に互いに積重ねることができる。図４は、積載パレット２８の全表面２７が、パレットの周縁部２９に沿って延在するバケツ２の側面７、８、１１及び隣接するバケツ２の別の側面７、８、１１によって、どのように隙間無く効率的に満たされるかを示す。容器が商店の棚や販売のための陳列棚に積重ねられる場合は、それらが壁に沿って掛けられれば、対応するスペースを省くことが可能である。バケツ／容器／コンテナに用いられる材料は、プラスチック若しくは金属材料が好ましいが、材料はそれらに制限されるのもではなく、厚紙のような繊維材料でも可能である。図１５に示すコンテナ２１は、繊維材料、詳細には段ボール若しくは他の強固な厚紙材料から作製される。コンテナ２１の別の形態は、3つの部分、より詳細には底部３０、中央部３１及び蓋部３２からなる。それらの各部分３０−３２は、安定なコンテナ２１を形成するために互いに組合わされるように構成される。底部３０は、トラフ部３０Ａと上方に折返された周辺フラップ部とからなり、蓋部３２は、平坦なトラフ部３２Ａと下方に折返された対応する周辺フラップ部３４とからなる。周辺フラップ部３２、３４は、例えば接着剤で接着することによって、それらのコーナー部３５及び３６において互いに連結されている。蓋部３２は、好ましくは打ち抜きの形態で製作された運搬用の取手部６６を有し、その取手部は、図１５Ｂに示すように外側に折られたときに、前述と同様にコンテナ２１のより長い側面１１６からより短い側面７６、８６の間の直角Ｘまでの最短の幅Ｂの約３分の１の位置にある鉛直面１０上に位置するコンテナ２１の効果的な支持位置９にある。コンテナの重心Ｔｐが前述の鉛直面１０と一致するように側面の各コーナー部からの距離に配置されているので、そのように立ち上がった取手部６６を有するコンテ２１の運搬は快適である。
【００２１】
容器２１の中央部３１は、折返した厚紙を接合部３７で互いに接着した物であり得る。
【００２２】
取手部６６は、1又は2の打ち抜きの取手部要素６６Ａ、６６Ｂからなり、それらは蓋部３２から折返されて共通の取手部６６を形成し得る。
【００２３】
図１６は、従来型のバケツの運搬と、運搬用の取手部を運搬する人間側に側方に移した本発明によるバケツの運搬との違いを示す。コーナー部及び丸みを帯びた部分に関連するバケツの設計によれば、運搬用の取手部の効果的な位置は、1つの側面（即ち、運搬する人間に面する側）から約33−40％の距離に位置する。
【００２４】
従って、運搬用の取手部を有するバケツの三角形のデザインは、次のような利点を有する。
・丸型のバケツと比べて収納及び積載においてより効率的である。
・取手部による運搬に関してより人間工学的である。
・バケツの障害物のない大きな外表面が、例えば標識付けに適している。
・モジューラシステムによって、より効率的な積載及び収納が可能となる。
・図１９に示すように、壁５１又は梯子からの吊下げに適している。
・バケツの内側の平坦な表面１１Ａが、ローラーに適合する。
・空にするのが容易である。
・障害物のない表面が、バケツを運搬する人間に常に面している。
【００２５】
図１８は、表面に対して作用するローラーに適する内側の平坦な表面１１Ａを有し、側面１１が運搬する人間側に面するバケツ２を示している。更に、図１８は、バケツ２のコーナー部５０が、特にバケツ２から内容物を注ぐことを容易にするために、大きな半径でどのように構成されるかを示している。
【００２６】
本発明の目的及び先行技術のバケツの材料の消費に関する限りでは、三角形の形状のバケツは丸型に比べて材料の消費が約20％増大するが、一方で、丸型の蓋部及び底部を打抜く際に、約20％の材料が消費されるというのが事実である。従って、三角形の形状のバケツは、実際的には材料消費の増大は全く起こらない。
【００２７】
図１７及び図１７Ａは、従来の丸型バケツと、本発明による運搬用の取手部を有する三角型バケツ２との積載量の差を示す。容量20リットルの丸型バケツ２１は、標準的な積載パレット２８上に1層当たり11個を2層に積載可能であり、一方で、容量20リットルの三角型バケツ２は、1層当たり12個を3層に積載可能である。従って、各々はパレット当たり440リットル及び720リットルの積載容量となり、即ち、三角型バケツ２は、同一容量の丸型バケツ２１に比べて63％以上のより多くの塗料又は他の内容物の輸送が可能である。
【００２８】
最後に、図２０及び図２１は、システムのモジュールの概念を簡明に示す。
【００２９】
以上のように、本発明の技術的効果について図面と共に説明してきたが、本発明は前述の実施例に限定されるものではなく、当業者は、本発明の観念から逸脱することなしに特許請求の範囲内において種々の変更が可能であろう。
【図面の簡単な説明】
【図１】  本発明における人間による最も有効な支持位置を示す図である。
【図２】  支持位置及び解放位置の各々が示された運搬用の取手部の実施例を示す図である。
【図３】  運搬用の取手部の配置の原理を示す図である。
【図４】  ヨーロッパ式積載パレットにおけるバケツの積載プランを示す図である。
【図５】  曲がり取手部を有するバケツの斜視図である。
【図５Ａ】  曲がり取手部を有するバケツの斜視図である。
【図５Ｂ】  曲がり取手部を有するバケツの側面図及び平面図である。
【図５Ｃ】  曲がり取手部を有するバケツの斜視図である。
【図６】  異なる位置でバケツに密着するように適合させた取手部を有するバケツを示す図である。
【図６Ａ】  異なる位置でバケツに密着するように適合させた取手部を示す図である。
【図６Ｂ】  異なる位置でバケツに密着するように適合させた取手部を有するバケツを示す図である。
【図７】  バケツ若しくは幾つかの他のコンテナの運搬用の取手部の側面図である。
【図７Ａ】  バケツ若しくは幾つかの他のコンテナの運搬用の取手部の平面図である。
【図７Ｂ】  バケツ若しくは幾つかの他のコンテナの運搬用の取手部の部分拡大図である。
【図８】  バケツ若しくは幾つかの他のコンテナの運搬用の取手部の側面図である。
【図８Ａ】  バケツ若しくは幾つかの他のコンテナの運搬用の取手部の平面図である。
【図９】  バケツ若しくは幾つかの他のコンテナの運搬用の取手部の側面図である。
【図１０】  バケツ若しくは幾つかの他のコンテナの運搬用の取手部の側面図である。
【図１０Ａ】  バケツ若しくは幾つかの他のコンテナの運搬用の取手部の平面図である。
【図１１】  バケツ若しくは幾つかの他のコンテナの運搬用の取手部の側面図である。
【図１１Ａ】  バケツ若しくは幾つかの他のコンテナの運搬用の取手部の平面図である。
【図１２】  バケツ若しくは幾つかの他のコンテナの運搬用の取手部の側面図である。
【図１２Ａ】  バケツ若しくは幾つかの他のコンテナの運搬用の取手部の側面図である。
【図１３】  バケツ若しくは幾つかの他のコンテナの運搬用の取手部の側面図である。
【図１３Ａ】  バケツ若しくは幾つかの他のコンテナの運搬用の取手部の平面図である。
【図１４】  バケツ若しくは幾つかの他のコンテナの運搬用の取手部の側面図である。
【図１４Ａ】  バケツ若しくは幾つかの他のコンテナの運搬用の取手部の平面図である。
【図１５】  蓋部を有するコンテナであって、伸長された取手部を有する三角形の厚紙容器の形態を有するコンテナの実施例を示す図である。
【図１５Ａ】  厚紙容器の組立分解斜視図である。
【図１５Ｂ】  厚紙容器の側面図である。
【図１５Ｃ】  厚紙容器の平面図である。
【図１６】  先行技術のバケツ及び本発明のバケツを運搬する動作をそれぞれ示す図である。
【図１７】  標準的な積載パレットにおける先行技術による積載方法及び本発明による新たな積載方法に関する積荷の平面図である。
【図１７Ａ】  本発明による三角型バケツ及び先行技術による丸型バケツを積載したパレットの側面図である。
【図１８】  本発明による三角型バケツの断面図である。
【図１９】  吊り下げられた三角型バケツを示す図である。
【図２０】  本システムのモジュール構成を示す図である。
【図２１】  本システムのモジュール構成を示す図である。
【図１】
0004330803.tif 000002
【図２】
0004330803.tif 000003
【図３】
0004330803.tif 000004
【図４】
0004330803.tif 000005
【図５】
0004330803.tif 000006
【図５Ａ】
0004330803.tif 000007
【図５Ｂ】
0004330803.tif 000008
【図５Ｃ】
0004330803.tif 000009
【図６】
0004330803.tif 000010
【図６Ａ】
0004330803.tif 000011
【図６Ｂ】
0004330803.tif 000012
【図７】
0004330803.tif 000013
【図７Ａ】
0004330803.tif 000014
【図７Ｂ】
0004330803.tif 000015
【図８】
0004330803.tif 000016
【図８Ａ】
0004330803.tif 000017
【図９】
0004330803.tif 000018
【図１０】
0004330803.tif 000019
【図１０Ａ】
0004330803.tif 000020
【図１１】
0004330803.tif 000021
【図１１Ａ】
0004330803.tif 000022
【図１２】
0004330803.tif 000023
【図１２Ａ】
0004330803.tif 000024
【図１３】
0004330803.tif 000025
【図１３Ａ】
0004330803.tif 000026
【図１４】
0004330803.tif 000027
【図１４Ａ】
0004330803.tif 000028
【図１５】
0004330803.tif 000029
【図１５Ａ】
0004330803.tif 000030
【図１５Ｂ】
0004330803.tif 000031
【図１５Ｃ】
0004330803.tif 000032
【図１６】
0004330803.tif 000033
【図１７】
0004330803.tif 000034
【図１７Ａ】
0004330803.tif 000035
【図１８】
0004330803.tif 000036
【図１９】
0004330803.tif 000037
【図２０】
0004330803.tif 000038
【図２１】
0004330803.tif 000039